(57)【要約】      （修正有）【課題】１つまたは複数の電気装置を格納するように意図された電気筐体の換気システムの効率レベルを決定する。【解決手段】各電気装置２によってジュール効果を介して放散されるパワーのプロファイルを決定するステップを備える学習ステップ（ＡＰＰ）と、換気システムの効率レベルを評価する評価ステップと、を備える。評価ステップは、評価期間に渡って得られた筐体１の外側の空気の温度のプロファイル、筐体の出口での空気の温度のプロファイルおよび学習ステップ中に決定された前記放散されたパワー・プロファイルから、ファン３の平均空気流量を決定し、換気システムの効率レベルを決定するために、平均空気流量を１つまたは複数の閾値と比較する。【選択図】図１
2017168820.tif 000002
【特許請求の範囲】
【請求項１】
１つまたは複数の電気装置（２）を格納するように意図された電気筐体（１）の換気システムの効率レベルを決定する方法であって、前記換気システムが、空気入口（４）と、各電気装置（２）を冷却するために前記筐体（１）内への空気の導入を補助する少なくとも１つのファン（３）と、前記筐体（１）内に導入される空気を濾過するように設計された空気入口フィルタ（４０）と、前記筐体（１）外への熱空気（ｈｏｔ  ａｉｒ）の排出を可能にするように設計された空気出口（５）とを備える、方法において、
−  学習期間（ＴＡＰＰ）中に、各電気装置により前記電気筐体（１）内にジュール効果によって放散されるパワーのプロファイルを決定するステップを備える学習ステップ（ＡＰＰ）と、
−  換気システムの前記効率レベルを評価する評価ステップ（ＥＶＡＬ）であって、
−  前記評価期間に渡って得られた前記筐体の外側の空気の温度のプロファイル、前記筐体の前記出口での空気の温度のプロファイル、および前記学習ステップ中に決定された前記放散されたパワー・プロファイルから、評価期間（ＴＥＶＡＬ）に渡って前記ファンの平均空気流量を決定するステップ、ならびに、
−  前記換気システムの前記効率レベルを決定するために、前記評価期間に渡って決定された前記平均空気流量（Ｄｍｏｙｅｎ）を１つまたは複数の閾値と比較するステップ
を備える評価ステップと
を具備することを特徴とする方法。
【請求項２】
前記学習期間中、一定の時間間隔（ｔＡＰＰ）によって離間された所与の収集時点（ｉ）に、前記筐体の外側の空気の温度に関するデータを収集するステップを備えることを特徴とする、請求項１に記載の決定方法。
【請求項３】
前記学習期間中、前記一定の時間間隔（ｔＡＰＰ）によって離間された所与の収集時点に、前記筐体の前記出口での空気の温度に関するデータを収集するステップを備えることを特徴とする、請求項２に記載の決定方法。
【請求項４】
前記電気装置によってジュール効果を介して放散されるパワーの前記プロファイルが、前記学習期間の各収集時点に対して決定される瞬間パワー値（Ｐ（ｉ））から得られ、各瞬間パワー値が、前記学習期間の収集時点での前記筐体の前記出口での空気の温度、前記学習期間の前記収集時点での前記筐体の外側の空気の温度、および前記ファン（３）の初期空気流量から決定されることを特徴とする、請求項３に記載の決定方法。
【請求項５】
前記評価期間（ＴＥＶＡＬ）中、一定の時間間隔（ｔＥＶＡＬ）によって離間された所与の収集時点に、前記筐体（１）の外側の空気の温度に関するデータを収集するステップを備えることを特徴とする、請求項１に記載の決定方法。
【請求項６】
前記評価期間中、前記一定の時間間隔（ｔＥＶＡＬ）によって離間された所与の収集時点に、前記筐体（１）の前記出口での空気の温度に関するデータを収集するステップを備えることを特徴とする、請求項５に記載の決定方法。
【請求項７】
前記評価ステップ中に、前記評価期間の前記収集時点のそれぞれでの前記ファン（３）の瞬間空気流量（Ｄ（ｉ））を、前記筐体内に格納された前記電気装置（２）によってジュール効果を介して放散され、前記学習ステップ（ＡＰＰ）中に前記学習期間（ＴＡＰＰ）の対応する時点で決定されたパワー、前記時点に測定された前記筐体の外側の空気の温度、および前記時点に測定された前記筐体の前記出口での空気の温度から決定するステップを備えることを特徴とする、請求項６に記載の決定方法。
【請求項８】
前記平均空気流量（Ｄｍｏｙｅｎ）が、前記ファンが作動しているときの各時点で決定された前記瞬間空気流量の平均値に対応することを特徴とする、請求項７に記載の決定方法。
【請求項９】
前記閾値が、前記ファン（３）の初期空気流量に基づいて設定されることを特徴とする、請求項１から８のいずれか一項に記載の決定方法。
【請求項１０】
１つまたは複数の電気装置（２）を格納するように意図された電気筐体（１）の換気システムの効率レベルを決定するシステムであって、前記換気システムが、空気入口（４）と、各電気装置（２）を冷却するために前記筐体（１）内への空気の導入を補助する少なくとも１つのファン（３）と、前記筐体（１）内に導入される空気を濾過するように設計された空気入口フィルタ（４０）と、前記筐体（１）外への熱空気の排出を可能にするように設計された空気出口（５）とを備える、決定システムにおいて、
−  学習期間（ＴＡＰＰ）中に、各電気装置により前記電気筐体（１）内にジュール効果によって放散されるパワーのプロファイルを決定するモジュール（Ｍ１）を備える学習モジュールと、
−  前記換気システムの前記効率レベルを評価する評価モジュール（ＥＶＡＬ）であって、
−  前記評価期間に渡って得られた前記筐体の外側の空気の温度のプロファイル、前記筐体の前記出口での空気の温度のプロファイル、および前記学習ステップ中に決定された前記放散されたパワー・プロファイルから、評価期間（ＴＥＶＡＬ）に渡って前記ファン（３）の平均空気流量を決定するモジュール（Ｍ３）、ならびに、
−  前記換気システムの前記効率レベルを決定するために、前記評価期間に渡って決定された前記平均空気流量（Ｄｍｏｙｅｎ）を１つまたは複数の閾値と比較するモジュール（Ｍ４）
を備える評価モジュールと
を具備する処理装置を具備することを特徴とする決定システム。
【請求項１１】
前記処理装置（ＵＣ）が、前記学習期間中、一定の時間間隔（ｔＡＰＰ）によって離間された所与の収集時点（ｉ）に、前記筐体の外側の空気の温度に関するデータを収集するように設計されていることを特徴とする、請求項１０に記載の決定システム。
【請求項１２】
前記処理装置が、前記学習期間中、前記一定の時間間隔（ｔＡＰＰ）によって離間された所与の収集時点に、前記筐体の出口での空気の温度に関するデータを収集するように設計されていることを特徴とする、請求項１１に記載の決定システム。
【請求項１３】
前記電気装置によってジュール効果を介して放散されるパワーの前記プロファイルが、前記学習期間の各収集時点に対して決定された瞬間パワー値（Ｐ（ｉ））から得られ、各瞬間パワー値が、前記学習期間の収集時点での前記筐体の前記出口での空気の温度、前記学習期間の前記収集時点での前記筐体の外側の空気の温度、および前記ファン（３）の初期空気流量から、モジュール（Ｍ１）によって決定されることを特徴とする、請求項１２に記載の決定システム。
【請求項１４】
前記処理装置（ＵＣ）が、前記評価期間（ＴＥＶＡＬ）中、一定の時間間隔（ｔＥＶＡＬ）によって離間された所与の収集時点に、前記筐体（１）の外側の空気の温度に関するデータを収集するように設計されていることを特徴とする、請求項１０に記載の決定システム。
【請求項１５】
前記処理装置（ＵＣ）が、前記評価期間中、前記一定の時間間隔（ｔＥＶＡＬ）によって離間された所与の収集時点に、前記筐体（１）の前記出口での空気の温度に関するデータを収集するように設計されていることを特徴とする、請求項１４に記載の決定システム。
【請求項１６】
前記評価モジュールが、前記評価期間の前記収集時点のそれぞれでの前記ファン（３）の瞬間空気流量（Ｄ（ｉ））を、前記筐体内に格納された前記電気装置（２）によってジュール効果を介して放散され、前記学習ステップ（ＡＰＰ）中に前記学習期間（ＴＡＰＰ）の対応する時点で決定されたパワー、前記時点に測定された前記筐体の外側の空気の温度、および前記時点に測定された前記筐体の前記出口での空気の温度から決定するモジュール（Ｍ２）を備えることを特徴とする、請求項１５に記載の決定システム。
【請求項１７】
前記平均空気流量（Ｄｍｏｙｅｎ）が、前記ファンが作動しているときの各時点で決定された前記瞬間空気流量の平均値に対応することを特徴とする、請求項１６に記載の決定システム。
【請求項１８】
前記閾値が、前記ファン（３）の初期空気流量に基づいて設定されることを特徴とする、請求項１０から１７のいずれか一項に記載の決定システム。
【発明の詳細な説明】
【技術分野】
【０００１】
本発明は、電気筐体の換気システムの効率レベルを決定する方法に関する。本発明は、また、電気筐体の換気システムの効率レベルを決定するシステムに関する。
【背景技術】
【０００２】
エネルギー効率のために、今日では、スイッチ・キャビネットなどの電気筐体の内部に収容されている電気装置によって発生される熱を放散するために使用される電気エネルギーに配慮することが必要である。この放熱のために、電気筐体は、
−  電気筐体に空気が導入される空気入口、
−  電気装置を冷却するための筐体への空気の導入を補助するように意図された少なくとも１つのファン、
−  筐体の外へ熱空気を排出するための空気出口、
−  筐体の空気入口に配置され、埃または他の汚染粒子が筐体に運び込まれるのを防止するために使用されるフィルタ
を有する換気システムを備える。
【０００３】
フィルタは、たとえば、空気の導入中に外部から筐体に入り込む粒子を捕捉することが意図された多孔性材（ｃｅｌｌｕｌａｒ  ｍａｔｅｒｉａｌ）から構成され、それによって、確実に「清浄な」空気を電気筐体に導入する。電気装置の効果的な冷却を確実に行うために、流入空気量が常に十分でなければならない。空気入口フィルタの汚れ、ファンの作動不良、または何らかの他の要因が、この空気流れの悪化を生じ、その結果、換気システムの効率レベルの低下を生じることがある。たとえば、フィルタが汚れている場合、異なる２つの状況が生じることがある。すなわち、
−  第１の状況では、空気流れが不十分になり、電気装置が熱くなる傾向を有することになり、それが、過熱した場合に、作動不良、停止または故障を生じることがある。
【０００４】
−  第２の状況では、筐体内に格納されている電気装置を正しく冷却するのに必要な空気流れは維持されているが、その必要空気流れがより大きな度合の負荷をファンに掛け、これが、長い作動の間にファンの作動寿命に影響を及ぼすことがある。
【０００５】
したがって、上記に説明された２つの状況のうちの１つが生じる前に、換気システムの効率レベル、特に空気入口フィルタの汚れのレベルに配慮する必要がある。このためには、換気システムの効率レベルの定期点検が望ましい。空気入口フィルタに関し、この点検は、運用者によって行われることができ、運用者はフィルタをそのハウジングから取り出し、その汚れ状態を点検する。しかし、この方法は、多数の電気筐体を有する設備において実行するにはあまりにも制約が多く困難であることが分かっている。その結果、フィルタの汚れの程度が判断されることを可能にし、この汚れのレベルが運用者に視覚的に示されることを可能にする電子的解決策が実現する。汚れレベルの決定は、この場合、最小限の数のセンサを用いて、可能な限り簡単かつ信頼性が高くなくてはならない。
【発明の概要】
【発明が解決しようとする課題】
【０００６】
本発明の目的は、実行するのに簡単であり、最小限の数の簡単で丈夫なセンサを使用する、電気筐体の換気システムの効率レベルを決定する方法を提供することである。
【課題を解決するための手段】
【０００７】
この目的は、１つまたは複数の電気装置を格納するように意図された電気筐体の換気システムの効率レベルを決定する方法であり、前記換気システムが、空気入口と、各電気装置を冷却するために筐体内への空気の導入を補助する少なくとも１つのファンと、筐体内に導入される空気を濾過するように設計された空気入口フィルタと、筐体外への熱空気の排出を可能にするように設計された空気出口とを備える、方法であって、
−  学習期間中に、各電気装置により電気筐体内にジュール効果によって放散されるパワーのプロファイルを決定するステップを備える学習ステップと、
−  換気システムの効率レベルを評価する評価ステップであって、
−  前記評価期間に渡って得られた筐体の外側の空気の温度のプロファイル、筐体の出口での空気の温度のプロファイル、および学習ステップ中に決定された前記放散されたパワー・プロファイルから、評価期間に渡ってファンの平均空気流量を決定するステップ、ならびに、
−  換気システムの効率レベルを決定するために、前記評価期間に渡って決定された平均空気流量を１つまたは複数の閾値と比較するステップ
を備える評価ステップと
を具備する方法によって達成される。
【０００８】
特定の特徴によれば、本方法は、学習期間中、一定の時間間隔によって離間された所与の収集時点に、筐体の外側の空気の温度に関するデータを収集するステップを備える。
【０００９】
別の特定の特徴によれば、本方法は、学習期間中、前記一定の時間間隔によって離間された所与の収集時点に、筐体の出口での空気の温度に関するデータを収集するステップを備える。
【００１０】
別の特定の特徴によれば、電気装置によってジュール効果を介して放散されるパワーのプロファイルが、学習期間の各収集時点に対して決定された瞬間パワー値から得られ、各瞬間パワー値が、学習期間の収集時点での筐体の出口での空気の温度、学習期間の前記収集時点での筐体の外側の空気の温度、およびファンの初期空気流量から決定される。
【００１１】
別の特定の特徴によれば、本方法は、学習期間中、一定の時間間隔によって離間された所与の収集時点に、筐体の外側の空気の温度に関するデータを収集するステップを備える。
【００１２】
別の特定の特徴によれば、本方法は、評価期間中、前記一定の時間間隔によって離間された所与の収集時点に、筐体の出口での空気の温度に関するデータを収集するステップを備える。
【００１３】
別の特定の特徴によれば、評価ステップ中に、本方法は、評価期間の収集時点のそれぞれでのファンの瞬間空気流量を、筐体内に格納された電気装置によってジュール効果を介して放散され、学習ステップ中に学習期間の対応する時点で決定されたパワー、前記時点に測定された筐体の外側の空気の温度、および前記時点に測定された筐体の出口での空気の温度から、決定するステップを備える。
【００１４】
別の特定の特徴によれば、平均空気流量は、ファンが作動しているときの各時点で決定された瞬間空気流量の平均値に対応する。
【００１５】
別の特定の特徴によれば、閾値は、ファンの初期空気流量に基づいて設定される。
【００１６】
本発明は、また、１つまたは複数の電気装置を格納するように意図された電気筐体用の換気システムの効率レベルを決定するシステムであり、前記換気システムが、空気入口と、各電気装置を冷却するために筐体内への空気の導入を補助する少なくとも１つのファンと、筐体内に導入される空気を濾過するように設計された空気入口フィルタと、筐体外への熱空気の排出を可能にするように設計された空気出口とを備える、決定システムであって、
−  学習期間中に、各電気装置により電気筐体内に、ジュール効果によって放散されるパワーのプロファイルを決定するモジュールを備える学習モジュールと、
−  換気システムの効率レベルを評価する評価モジュールであって、
−  前記評価期間に渡って得られた筐体の外側の空気の温度のプロファイル、筐体の出口での空気の温度のプロファイル、および学習ステップ中に決定された、前記放散されたパワー・プロファイルから、評価期間に渡ってファンの平均空気流量を決定するモジュール、ならびに、
−  換気システムの効率レベルを決定するために、前記評価期間に渡って決定された平均空気流量を１つまたは複数の閾値と比較するモジュール
を備える評価モジュールと
を具備する処理装置を具備する決定システムに関する。
【００１７】
特定の特徴によれば、処理装置は、学習期間中、一定の時間間隔によって離間された所与の収集時点に、筐体の外側の空気の温度に関するデータを収集するように設計されている。
【００１８】
別の特定の特徴によれば、処理装置は、学習期間中、前記一定の時間間隔によって離間された所与の収集時点に、筐体の出口での空気の温度に関するデータを収集するように設計されている。
【００１９】
別の特定の特徴によれば、電気装置によってジュール効果を介して放散されるパワーのプロファイルが、学習期間の各収集時点に対して決定される瞬間パワー値から得られ、各瞬間パワー値は、学習期間の収集時点での筐体の出口での空気の温度、学習期間の前記収集時点での筐体の外側の空気の温度、およびファンの初期空気流量から、モジュールによって決定される。
【００２０】
別の特定の特徴によれば、処理装置は、学習期間中、一定の時間間隔によって離間された所与の収集時点に、筐体（１）の外側の空気の温度に関するデータを収集するように設計されている。
【００２１】
別の特定の特徴によれば、処理装置は、評価期間中、前記一定の時間間隔によって離間された所与の収集時点に、筐体の出口での空気の温度に関するデータを収集するように設計されている。
【００２２】
別の特定の特徴によれば、評価モジュールが、評価期間の収集時点のそれぞれでのファンの瞬間空気流量を、筐体内に格納された電気装置によってジュール効果を介して放散され、学習ステップ中に学習期間の対応する時点で決定されたパワー、前記時点に測定された筐体の外側の空気の温度、および前記時点に測定された筐体の出口での空気の温度から、決定するモジュールを備える。
【００２３】
別の特定の特徴によれば、平均空気流量は、ファンが作動しているときの各時点で決定された瞬間空気流量の平均値に対応する。
【００２４】
別の特有な特徴によれば、閾値は、ファンの初期空気流量に基づいて設定される。
【００２５】
他の特有な特徴および利点が、添付図面を参照して行われる以下の詳細な説明から明らかになるであろう。
【図面の簡単な説明】
【００２６】
【図１】電気筐体が正面図で示されている、該筐体内で使用される換気システムの効率レベルを決定するための該筐体およびシステムのアーキテクチャの概略図である。
【図２】換気システムの効率レベルを決定する方法の様々なステップを示す線図である。
【発明を実施するための形態】
【００２７】
本発明は、電気筐体の換気システムの効率レベルを決定する方法およびシステムに関する。
【００２８】
図１を参照すると、この図は、例として、上壁１０、底壁１１、および対として互いに対向して配置された４つの側壁１２を備える平行６面体形状を有する電気筐体１を示す。当然、本発明による方法およびシステムは、あらゆるタイプならびにあらゆる形および寸法の電気筐体に適合されることができる。
【００２９】
電気筐体１は、電気装置２を格納するように意図され、下記を有する換気システムを備える。
【００３０】
−  電気筐体１内に空気がそれを介して導入される空気入口４。
【００３１】
−  電気筐体の外へ熱空気を排出するための空気出口５。
【００３２】
−  空気入口または空気出口に配置された少なくとも１つのファン３。ファンは、作動させられると、空気入口に設置されているときには強制的吐出によって、空気出口に設置されているときには吸入によって、筐体１内への空気の導入を補助する。
【００３３】
−  空気入口に配置された空気入口フィルタ４０であって、ファが入口にあるときには空気の導入方向に対してファン３の上流に配置される、電気筐体１に導入される空気を濾過するためのファン。このフィルタ４０は、たとえば、不純物を捕捉し、それら不純物が筐体内に入り込むのを防止することができる多孔性構造を備える。
【００３４】
図１は、正面図としての筐体の図面の面に対して横向きの、筐体の対向する２つの側壁にある空気入口および空気出口を示す。当然、それら出口および入口は、正面図として見られる図面の面に平行な面内に置かれた別の対向する２つの側壁に配置されることもできることが理解されなければならない。同様に、空気入口または空気出口が上壁に配置され、それぞれ空気出口または空気入口が、筐体内に格納された全ての電気装置への空気流れが可能になるようにキャビネットの壁に配置されることができる。
【００３５】
前記フィルタ４０に伴わされた第１のグリル（図示されず）が、空気入口に配置されてもよい。同様に、第２のグリル５０が、空気出口に配置されてもよい。
【００３６】
この換気システムの効率レベルが決定されることができる本発明によるシステムは、下記を具備する。
【００３７】
−  電気筐体１が設置されている部屋の環境温度を測定するために、筐体の外部に配置された第１の温度センサＴ１。
【００３８】
−  電気筐体の外に向かって出て行く空気の温度を測定するために、筐体１の内側に配置された第２の温度センサＴ２。
【００３９】
−  特に、換気システムの効率レベルを決定するように意図されたマイクロコントローラを備える処理装置ＵＣであって、
−  第１の温度センサＴ１によって測定されたデータを受け取るために、このセンサが接続されている第１の入力部ＩＮ１と、
−  第２の温度センサＴ２によって測定されたデータを受け取るために、このセンサが接続されている第２の入力部ＩＮ２と、
−  ファンの状態（０／１）、すなわちファンの作動状態または停止状態を表すデータを受け取る第３の入力部ＩＮ３であって、ファンが作動状態にある場合に値１を取り、ファンが停止状態にある場合に値０を取る。このデータが、さらに、処理装置がファン３の起動を制御するようにプログラムされている場合に、すでに処理装置にとって利用可能であることができる、入力部ＩＮ３と、
−  換気システムの効率レベルを表す信号がそれへ送られることができる少なくとも１つの出力部Ｓであって、視覚、音響、または他のタイプの信号ユニット６が、たとえば、換気システムの効率レベルを示すために接続される、出力部Ｓと
を備える処理装置ＵＣ。
【００４０】
好ましくは、図１に示されるように、本発明によるシステムは、以下のアーキテクチャによって特に効果的になる。
【００４１】
−  筐体の側壁１２の底部または最上部に配置された空気入口４。
【００４２】
−  空気入口４の反対側の側壁１２の、それぞれ最上部または底部に配置された空気出口５。
【００４３】
−  電気筐体から流れ出る空気の温度を測定するために、空気出口の出口グリルの上流で筐体１の内側に配置された第２の温度センサＴ２。この温度センサＴ２は、筐体の内側または外側に設置されることができる。
【００４４】
当然、同様な結果を有する、やはり効果的である他の配置が用いられることもできる。
【００４５】
上記のシステムに基づいて、本発明によるシステムを用いて実行される本発明による方法は、２つの別々のステップ、すなわち学習ステップ（ＡＰＰ）と、汚れの程度を評価する評価ステップ（ＥＶＡＬ）とを備える。図２は、本発明によるシステムの様々な作動ステップを示す。
【００４６】
−  学習ステップ（ＡＰＰ）
学習ステップは、処理装置ＵＣの学習論理モジュールによって実行され、筐体内に存在する電気装置２によってジュール効果を介して放散されるパワーのプロファイルを、所与の持続時間の学習期間ＴＡＰＰに渡って決定することが意図される。この学習期間ＴＡＰＰは、たとえば、筐体１内に存在する電気装置２の全ての作動サイクルをカバーすることができるように２４時間の持続時間を有する。
【００４７】
学習期間中、処理装置ＵＣは、その第１の入力部ＩＮ１およびその第２の入力部ＩＮ２において、学習期間中の複数の連続的時点での、第１の温度センサＴ１および第２の温度センサＴ２からそれぞれ生じる温度データを回収する。温度データを収集する時点は、好ましくは、たとえば１０秒に設定された一定の時間間隔ｔＡＰＰによって離間されている。データの収集は、処理装置ＵＣ、または処理装置ＵＣと時間的同期後の各温度センサによって制御されることができる。
【００４８】
それによって、処理装置ＵＣは、各収集時点ｉの温度データを記憶する（ｉは１からｎまで変化し、ｎは、２４時間の学習期間および１０秒の時間間隔では８６４０に等しい）。したがって、処理装置は、
Ｔｅｘｔ（ｉ）＝［Ｔｅｘｔ（１），Ｔｅｘｔ（２），Ｔｅｘｔ（３），Ｔｅｘｔ（４），．．．．，Ｔｅｘｔ（ｎ）］
Ｔｓ（ｉ）＝［Ｔｓ（１），Ｔｓ（２），Ｔｓ（３），Ｔｓ（４），．．．．，Ｔｓ（ｎ）］
を記憶する。
【００４９】
各時点に対して、学習モジュールの第１の論理モジュールＭ１が、筐体内に格納された電気装置によってジュール効果を介して放散される瞬間パワーを決定する。このために、処理装置は以下のように進行する。
【００５０】
ｉ＝１からｉ＝ｎに対して、
ＩＮ３＝１であれば、放散パワーは、
【数１】
2017168820.tif 000003
に等しく、
そうでなければ、
Ｐ（ｉ）＝０
である。
【００５１】
式中、Ｄｉｎｉｔは、ファン３の初期流量ｍ３／ｓに対応する。この初期流量は、たとえば、ファン３の仕様書に示されている。
【００５２】
学習期間ＴＡＰＰを通じて各測定時点ｉに対して瞬間放散パワー値が計算されると、このデータが処理装置ＵＣによって格納され、それによって、そのデータが、電気筐体の換気システムの効率レベルを評価するための各ステップ中に使用されることができる。
【００５３】
−  評価ステップ（ＥＶＡＬ）
評価ステップＥＶＡＬは、処理装置ＵＣの評価論理モジュールによって実行され、換気システムの効率レベルを決定することにある。評価ステップは、たとえば、好ましくは学習持続時間と同一の持続時間を有する評価期間ＴＥＶＡＬを通じて実行される。したがって、評価期間は、たとえば、２４時間続く。
【００５４】
評価期間中、処理装置ＵＣは、その第１の入力部ＩＮ１およびその第２の入力部ＩＮ２において、学習期間中の複数の連続的時点での、第１の温度センサＴ１および第２の温度センサＴ２からそれぞれ生じる温度データを回収する。温度データを収集する時点は、たとえば１０秒に設定された、学習ステップ中に使用される時間間隔と同一の一定の時間間隔ｔＥＶＡＬによって離間されている。
【００５５】
それによって、処理装置ＵＣは、各収集時点ｉの温度データを記憶する（ｉは１からｎまで変化し、ｎは、２４時間の学習期間および１０秒の時間間隔では８６４０に等しい）。したがって、処理装置は、
Ｔｅｘｔ（ｉ）＝［Ｔｅｘｔ（１），Ｔｅｘｔ（２），Ｔｅｘｔ（３），Ｔｅｘｔ（４），．．．．，Ｔｅｘｔ（ｎ）］
Ｔｓ（ｉ）＝［Ｔｓ（１），Ｔｓ（２），Ｔｓ（３），Ｔｓ（４），．．．．，Ｔｓ（ｎ）］
を記憶する。
【００５６】
次いで、評価モジュールの第２の論理モジュールＭ２が、以下のようにして、各測定時点ｉに対するファン３の瞬間空気流量を決定する。
【００５７】
ｉ＝１からｉ＝ｎに対して、
ＩＮ３＝１であれば、流量Ｄ（ｉ）は、
Ｄ（ｉ）＝３×［Ｐ（ｉ）／（Ｔｓ（ｉ）−Ｔｅｘｔ（ｉ））］
に等しく、
そうでなければ、
Ｄ（ｉ）＝０
である。
【００５８】
ジュール効果によって放散されるパワーに対応するＰ（ｉ）は、学習期間中に、学習期間の同じ時点ｉに対して決定されている。
【００５９】
好ましくは、処理装置ＵＣは、学習ステップ中に決定されたパワー・プロファイルのデータを、評価ステップ中に収集された温度値と同期させるステップを実行する。同期は、たとえば、パワー・プロファイルの最大値を、第２の温度センサによって測定された温度の最大値と整合させることによって実行される。
【００６０】
換気システムの効率レベルを決定するために、評価モジュールの第３のモジュールＭ３が、各時点ｉで決定された零でない瞬間流量に基づいて計算される平均流量Ｄｍｏｙｅｎを決定する。ファンが作動しているときに得られたＤ（ｉ）≠０の全ての値に対し、この平均流量は下記に等しい。
【数２】
2017168820.tif 000004
Ｎは、ファンが作動している場合の値の数に対応する。
【００６１】
示された平均流量に基づいて、評価モジュールの第４の論理モジュールＭ４が、電気筐体の換気システムの効率レベルを決定する。このために、第４の論理モジュールＭ４は、得られた平均流量Ｄｍｏｙｅｎを１つまたは複数の閾値と比較するステップを実行する。これら閾値は、たとえば、上記の初期流量Ｄｉｎｉｔに基づいて決定される。たとえば、処理装置ＵＣの第４の論理モジュールＭ４が、以下の診断を行う。
【００６２】
−  Ｄｍｏｙｅｎ＞Ｄｉｎｉｔ×７０％の場合、空気濾過システムは正常に機能しており、換気システムの第１の効率レベルＬ１に対応する。
【００６３】
−  Ｄｉｎｉｔ×４０％＜Ｄｍｏｙｅｎ＜Ｄｉｎｉｔ×７０％の場合、空気濾過システムは平均的作動レベルを有し、換気システムの第２の効率レベルＬ２に対応し、近いうちに、関連するシステムの効率低下の原因を特定するための処置が必要になることに対応する。
【００６４】
−  Ｄｍｏｙｅｎ＜Ｄｉｎｉｔ×４０％の場合、空気濾過システムは正常に機能しておらず、筐体の換気システムの第３の効率レベルＬ３に対応し、システムの効率低下の原因を特定するための処置が必要であることに対応する。
【００６５】
当然、設置要件に応じて、他の閾値が採用されることができる。
【００６６】
決定された効率レベル（Ｌ１、Ｌ２、またはＬ３）に応じて、処理装置ＵＣは、たとえば、信号装置６の個々の光表示器を点灯させることができる。
【００６７】
このように、本発明による方法およびシステムは、
−  最小限の数のセンサを使用するので簡単である、換気システムの効率レベルの検出、
−  用いられるセンサが簡単な温度センサであるので高信頼度である検出、
−  少数のセンサを使用し、限られた処理容量しか必要としないので、より費用の安い解決策
を含む多数の利点を提供する。
【符号の説明】
【００６８】
１  電気筐体
２  電気装置
３  ファン
４  空気入口
５  空気出口
６  信号ユニット
１０  上壁
１１  底壁
１２  側壁
４０  空気入口フィルタ
５０  第２のグリル
ＡＰＰ  学習ステップ
Ｄ（ｉ）  瞬間空気流量
Ｄｉｎｉｔ  初期流量
Ｄｍｏｙｅｎ  平均空気流量
ＥＶＡＬ  評価ステップ
ＩＮ１  第１の入力部
ＩＮ２  第２の入力部
ＩＮ３  第３の入力部
Ｌ１  第１の効率レベル
Ｌ２  第２の効率レベル
Ｌ３  第３の効率レベル
Ｍ１  第１の論理モジュール
Ｍ２  第２の論理モジュール
Ｍ３  第３のモジュール
Ｍ４  第４の論理モジュール
Ｐ（ｉ）  瞬間パワー値
Ｓ  出力部
Ｔ１  第１の温度センサ
Ｔ２  第２の温度センサ
Ｔａｐｐ  学習期間
ｔａｐｐ  一定時間間隔
ＴＥＶＡＬ  評価期間
ｔＥＶＡＬ  一定時間間隔
ＵＣ  処理装置
【図１】
2017168820.tif 000005
【図２】
2017168820.tif 000006
【外国語明細書】
2017168820000001.pdf